(57)【要約】      （修正有）【課題】薬剤担持体に直接触れることを回避し、安全、安心な揮散性害虫忌避剤放出装置と放出方法とを提供する。【解決手段】揮散性殺虫剤或いは揮散性害虫忌避剤放出装置７は揮散性殺虫剤或いは揮散性害虫忌避薬剤担持体２の下部に電動ファン１を持ち、薬剤担持体２の上部には担持体に直接触れることがないよう設定された通気性を持つ被覆体３を持ち、被覆体３は装飾性を有し、装置７全体として調和の取れた装飾品となる。装置の使用時には電動ファン１が作動することにより揮散性殺虫剤或いは揮散性害虫忌避薬剤は薬剤担持体２より放出され、被覆体３を通過して空間中に放出拡散し、目的とする害虫防を除或いは忌避することが出来る。【選択図】    図１
2006006273.tif 000002
【特許請求の範囲】
【請求項１】
薬剤担持体に直接触れることのない様に、揮散性殺虫剤或いは揮散性害虫忌避薬剤担持体の上部に、装飾性の通気性被覆体を置き、使用時には薬剤担持体の下部に置かれた電動ファンを作動させることによって、薬剤担持体より揮散性殺虫剤或いは揮散性害虫忌避薬剤を通気性被覆体を通して空間に放出拡散することによって、害虫を防除或いは忌避をすると同時に、視覚的、空間的に快適環境を創出し、安全で安心感をあたえる薬剤放出装飾装置。
【請求項２】
通気性被覆体が紙、布、木片、樹脂素材或いはそれらを組み合わせて作られ、それ自身として十分に装飾性を持ち快適環境を提供しながら、揮散性殺虫剤或いは揮散性害虫忌避剤担持体に直接接触れることがないように薬剤担持体を覆うことの出来る様に配置された請求項１に記載の装置。
【請求項３】
通気性被覆体は紙、布、木片、樹脂素材、或いはそれらを組み合わせて作られる造花からなる請求項１、２に記載の装置。
【請求項４】
紙、布、木片、樹脂素材或いはそれらを組み合わせて作られる通気性被覆体はそれ自身芳香剤を担持するか、或いは芳香剤を添加して常時芳香剤を空間に放出してなる、請求項１、２、３に記載の装置。
【請求項５】
薬剤担持体から通気性被覆体への薬剤の直接移行を断つために通気性被覆体と薬剤担持体との接触を回避してなる、請求項１、２、３、４に記載の装置。
【請求項６】
休止時に、薬剤担持体から薬剤自然放出を避けるため、薬剤担持体の機密性を保つように、薬剤担持体の上下に開閉型のシャッターを持ち、休止時には閉じ、使用時には開くことの出来る請求項１、２、３、４、５に記載の装置。
【請求項７】
薬剤担持体から放出される揮散性殺虫剤或いは忌避剤量を電動ファンからの風量或いはファンの回転数の積算量から換算することができる請求項１、２、３、４、５、６に記載の装置。
【請求項８】
薬剤担持体へ直接触れることのない様に、揮散性殺虫剤或いは害虫忌避薬剤担持体の上部に、装飾性の通気性被覆体を置き、使用時には薬剤担持体の下部に置かれた電動ファンを作動させることによって、薬剤担持体より揮散性殺虫剤或いは揮散性害虫忌避剤を通気性被覆体を通して空間に放出拡散することによって、害虫を防除或いは忌避をすると同時に、視覚的、空間的に快適な環境を創出する方法。
【請求項９】
請求項１，２，３，４，５，６，７に記載の装置を室内空間の中央に設置することによる視覚的、空間的に快適な空間を創出しながら効率的に害虫を防除或いは忌避する方法。
【発明の詳細な説明】
【技術分野】
【０００１】
本発明は、揮散性殺虫剤或いは揮散性害虫忌避剤担持体に直接触れることのないように、薬剤担持体を通気性被覆材で覆い、薬剤を安全に、効率的に揮散させ、且つ、視覚的に、空間的に快適環境を提供する装置とその方法に関わる。
【背景技術】
【０００２】
従来から揮散性殺虫剤を空間に放出する薬剤揮散装置は広く知られている。吸液芯に有効成分を溶かした液剤を吸上げ、芯部分を加熱することにより薬剤を空気中に揮散させる、或いはパルプマットに含浸させた薬剤を加熱させることにより揮散させる、更にはファンによる空気を薬剤の担体に吹き付けて強制的に薬剤を揮散させることにより害虫を防除する装置が使われている。
【０００３】
しかし、これらの装置は害虫防除という機能が優先しているため、使用者には殺虫剤を使用していると云う意識から来る緊張感を与え、くつろぎ感、快適感を充分に与えるには至っていない。更には、吸液芯やパルプマットを用いる方法は加熱部分があるために幼児などには常にやけどの危険性を秘めている。
【０００４】
更に、従来の薬剤揮散装置は機能本位であるために居住空間で使用する場合、空間の隅に設置して使用するのが常であるため、空間に放出された薬剤は空間全体に拡散することなく偏在し、充分に薬剤効果を発揮できない場合があった。
【発明の開示】
【発明が解決しようとする課題】
【０００５】
従来使用されている揮散性殺虫剤を空間に放出する薬剤揮散装置の持つ欠点を解消し、害虫防除、害虫忌避が持つ本来の作用を示しながら、しかも使用者には安心感、くつろぎ感を与える快適環境を提供しようとするものである。今や使用者は安全だけでは満足することなく、使用時には安心感を求めるに至っているのである。
【０００６】
本発明は上記事情に鑑みなされた発明であり、その目的とするところは安全性を重視しながら、且つ、使用者に視覚的、空間的にも安心感、快適感を与える揮散性薬剤の薬剤揮散装置を提供するものである。
【０００７】
且つ、本発明の装置を室内空間の中央に設置して何ら違和感を与えることがないことにより、視覚的に快適空間を与えながら薬剤を室内空間に満遍なく拡散させることにより効率的な害虫防除効果、害虫忌避効果を与えるものである。
【課題を解決するための手段】
【０００８】
前述した本発明の目的は以下の様にして達成される。
１）揮散性殺虫剤或いは揮散性害虫忌避剤（以後揮散性薬剤と総称する）を多孔質無機材料、薬剤担持型樹脂、吸湿紙などに保持させ、これを使用時に送風ファンにより揮散性薬剤を放出させる。
２）放出した揮散性薬剤は、上記１）の薬剤担持体を覆う通気性を有する装飾性の被覆体を通して系外に放出される。
３）上記２）の装飾性被覆体は上記１）に記載の揮散性薬剤担持体を覆い、揮散性薬剤担持体への直接接触を不可能とし、且つ、薬剤担持体から放出された薬剤を容易に境外に放出することが出来る装飾性にすぐれた装置で、使用空間に調和して、使用者に安心感、快適感を与えるものである。
【０００９】
本発明は図１によって示される。揮散性薬剤担持体（３）は多孔鉱物質、薬剤含浸性樹脂、小木片、含浸性紙などの薬剤を含浸出来る素材で作られ、通気性を有することを特徴とする。この薬剤担持体は含浸薬剤の放出を終了した段階では容易に取替えが可能で、その際好ましくは薬剤担持体を直接手に触れることなく取替えを可能とする仕組みが取り付けられている。
【００１０】
図１で示される薬剤担持体（３）からの揮散性薬剤の放出は担持体の下部に据えられた１で示される送風ファンによってなされ、薬剤放出必要時には送風ファンを稼動させ、不要時には送風ファンを止めることにより、薬剤を効率よく環境に放出するだけでなく、環境へ不必要な化学物質の放出を出来る限り少なくすることが出来る。薬剤担持体に含まれる薬剤終点チェックは送風ファンの風量積算計によって確認することが出来る。薬剤担持体（３）と送風ファン（１）とは着脱が容易であり、終了時の薬剤担持体の取り替え確認を容易とする。
【００１１】
図１で示される薬剤担持体の上部と下部には（４a）、（4ｂ）で示されるシャッターを有し、装置稼動時にはシャッター（４a）、（４b）を開き薬剤担持体を風が通り、休止時にはシャッターを閉じて薬剤の境外への揮散を抑える。
【００１２】
装置（７）の使用時に、送風ファンによって薬剤担持体（３）から放出された揮散性殺虫剤或いは揮散性害虫忌避剤は、薬剤担持体に直接触れることがない様に用意された通気性を有する被覆体（５）を通って境外に放出され薬剤の効果を発揮できる。
【００１３】
被覆体（５）は構造的に薬剤担持体に直接接触を不可能とするだけでなく、上部は造花或いは装飾性の資材（６）から成り、休止時にも観賞用資材として十分にその機能を発揮し、居住空間として快適環境を提供することが出来る。
【００１４】
本発明に用いられる揮散性薬剤としては、プロフルトリン；４−メチル2,3,5,６−テトラフルオロベンジル (１R)−トランス−2,2−ジメチル−3−(１−プロぺニル)シクロプロパンカルボキシレート、  メトフルトリン；４−メトキシメチル−2,3,5,6−テトラフルオロベンジル (１R)−トランス−2,2−ジメチル−3−(1−プロぺニル)シクロプロパンカルボキシレート、 エンペントリン；１−エチニル−2−メチル−2−ペンテニル（１R）−シス−トランス−2,2ジメチル−３−（2−メチル−１−プロペニル）シクロプロパンカルボキシレ−ト、 トランスフルスリン；2,3,5,6−テトラフルオロベンジル(1R)−トランス−3−(2,2−ジクロロビニル)−2,2−ジメチルシクロプロパンカルボキシレート、 ジクロホス；O,O−ジメチルO−(2,2−ジクロロビニル)ホスフェ−トを挙げることが出来る。
【００１５】
本発明に用いられる揮散性忌避剤としては、ディート；N,N−ジエチル−３−メチルベンツアマイド、4−ヒドロキシ−６−メチル−3−(4−メチル−2−ペンタノイル)−2−ピロン、プロビニディン；、ユーカリジオール、ヒノキチオール、飛翔昆虫忌避効果を有する天然精油類（ヒバ油、ハッカ油、クローブ油,シナモンリーフ油、レモングラス油、ゼラニウム油等）を挙げることが出来る。
【発明の効果】
【００１６】
以上詳細に述べた本発明によれば、室内の害虫防除を目的に装置を作動させることにより、効果的に害虫を防除、或いは忌避させることが出来、しかも装置自身が装飾性に優れているために使用者に薬剤使用時の違和感、緊張感、不安感を与えることなく、くつろぎ感、安心感を与えながら所期の目的を達成することが出来る。
【００１７】
更に、本発明装置は室内空間の何処に置いても違和感がなく、特に室内空間の中央に置くことが出来るため、空間に放出された薬剤は満遍なく拡散し、効率的に優れた害虫防除効果或いは害虫忌避効果が期待できる。
【００１８】
該装置の休止時には薬剤担持体を遮断することによって、薬剤の無駄な揮散を防止し、しかも装置全体が装飾性を有することで、装飾品としての機能を発揮するだけでなく、場合によっては薬剤担持体を覆う被覆体に処理されたハーブ剤が自然揮散することによってくつろぎ感を助長することが出来る。
【００１９】
該装置の装飾性を有する被覆体は薬剤担持体を完全に覆うことによって、使用者が誤って薬剤担持体に接触することを防止する。
【発明を実施するための最良の形態】
【００２０】
薬剤担持体に直接触れることのない様に、揮散性殺虫剤或いは揮散性害虫忌避薬剤担持体の上部に、装飾性の通気性被覆体を置き、使用時には薬剤担持体の下部に置かれた電動ファンを作動させることによって、薬剤担持体より揮散性殺虫剤或いは揮散性害虫忌避薬剤を通気性被覆体を通して空間に放出拡散させる。
【実施例１】
【００２１】
図１で示される磁器容器（上径φ14 cm、下径φ13 cm、H13 cm）の底に通風孔を持ち、その上位に電動ファンを、その上位に樹脂ネットで包んだ通気性の不織布（径φ12.５cm、H0.3 cm、揮発性害虫忌避剤シトロネラ油 7ｇを含む）を持ち、更にその上位に布製のアートフラワー（径φ20 cm、H30〜50 cm）を持つ樹脂製のメッシュ（径φ13 cm、H0.5 cm）で覆われた薬剤放出装置を容量5.8 ｍ３  （1.8ｍ立方）の部屋の中央に置き、ファンを稼動させる。その中にアカイエカ成虫20頭（雌雄混合）を放ち、中に人が入って３０分経過後にネッタイシマカに刺された形跡は認められなかった。また、部屋内部に漂っているレモンの香りも強いものであった。一方、同装置の送風ファンを停止した状態でアカイエカ成虫20頭を放ち、部屋の中に人が入ると、30分後には５個所刺された形跡が認められた。且つ部屋内部に漂うレモンの香りも僅かであった。
【実施例２】
【００２２】
無風状態の屋外で、円形テーブル（径φ150 cm、H65 cm）の中央に実施例１に示す装置を薬剤担持体の薬剤シトロネラ油をメトフルトリンに置換えて設置し、ファンを稼動させて、テーブル周辺に3名の人が立ち30分の経過を見たが虫の飛来による不快感はなかった。一方ファンを停止して、30分の経過を見たところ、テーブル周辺には顕著な虫の飛来が認められた。
【図面の簡単な説明】
【００２３】
【図１】本発明の実施形態を示す概略を展開してある図である。
【符号の説明】
【００２４】
１．送風ファン
３．揮散性薬剤担持体
４a.４ｂ．薬剤担持体の上部と下部のシャッター
５．被覆体
６．造花或いは装飾性の資材
７．装置本体
【図１】
2006006273.tif 000003